(57)【要約】  インプラントを縫合するために用いることができるシステムが、関節アームおよびターゲットデバイスホルダを含むことができる第１の自動フィクスチャと、縫製機として動作してインプラントに材料を縫い付けるように構成された第２の自動フィクスチャと、を含む。第２の自動フィクスチャは、湾曲針を用いて、プロセス中に針を解放する必要なくステッチを形成する。第２の自動フィクスチャはまた、湾曲針と協調して移動して、単一縫合糸または単一糸のステッチを実行するステッチルーパを含むことができる。
2021510570.tif 000002
【特許請求の範囲】
【請求項１】
インプラントデバイスを縫合する方法であって、
第１の自動フィクスチャのホルダコンポーネントに前記インプラントデバイスを配置するステップと、
前記インプラントデバイスを第１の位置に配置するように前記第１の自動フィクスチャに指示するステップと、
前記インプラントデバイスに縫合される材料に湾曲針を出入りさせることによって、前記インプラントデバイス上に第１のステッチを実行するように第２の自動フィクスチャに指示するステップと、
前記インプラントデバイスを第２の位置に配置するように前記第１の自動フィクスチャに指示するステップと、
前記インプラントデバイスに縫合される前記材料に前記湾曲針を出入りさせることによって、前記インプラントデバイス上に第２のステッチを実行するように前記第２の自動フィクスチャに指示するステップであって、前記第２の自動フィクスチャは、前記湾曲針と協調して移動して、前記第１のステッチおよび前記第２のステッチを形成するステッチルーパを含む、ステップと、
を含む、方法。
【請求項２】
前記インプラントデバイスは人工心臓弁である、請求項１に記載の方法。
【請求項３】
前記インプラントデバイスを所定の位置で周方向に回転させるように、前記第１の自動フィクスチャに指示するステップをさらに含む、請求項１または２に記載の方法。
【請求項４】
前記第１の自動フィクスチャおよび前記第２の自動フィクスチャを少なくとも部分的に制御するように構成された１つ以上のプロセッサを用いて、事前プログラムされた縫合手順スクリプトをロードするステップをさらに含む、請求項１から３のいずれか一項に記載の方法。
【請求項５】
前記第２の自動フィクスチャは、前記湾曲針を用いて、前記第１のステッチがシングル縫合ステッチとなるように前記第１のステッチを実行する、請求項１から４のいずれか一項に記載の方法。
【請求項６】
前記湾曲針は、前記湾曲針の固定経路に沿って前記材料に出入りする、請求項１から５のいずれか一項に記載の方法。
【請求項７】
前記ステッチルーパは、前記第１のステッチの形成中に形成された挿入点を通して前記湾曲針が引き抜かれるときに、縫合糸の一部を固定する２つ以上のタインを含む、請求項１から６のいずれか一項に記載の方法。
【請求項８】
前記ステッチルーパは、縫合糸の前記一部でループを形成するように回転して、前記第１のステッチを形成するように構成されている、請求項７に記載の方法。
【請求項９】
前記湾曲針は、前記ステッチルーパによって形成された前記ループを通過して、前記第１のステッチを形成する、請求項８に記載の方法。
【請求項１０】
前記湾曲針は、前記第１のステッチおよび前記第２のステッチのそれぞれについて、２つの異なる場所で前記インプラントデバイスの布地を通過する、請求項１から９のいずれか一項に記載の方法。
【請求項１１】
複数の電動アクチュエータデバイスおよび縫合ターゲットホルダを含む第１の自動フィクスチャであって、前記縫合ターゲットホルダに取り付けられているとき、ターゲット縫合デバイスを回転させるように構成されている、第１の自動フィクスチャと、
第２の自動フィクスチャであって、湾曲針であって、前記第２の自動フィクスチャが固定経路において前記湾曲針を移動させるように構成された、湾曲針と、縫合糸の一部を固定し、前記湾曲針が前記固定経路において移動するときに、前記縫合糸の前記一部を用いてループを形成するように構成された、複数のタインを有するステッチルーパと、を含む第２の自動フィクスチャと、
を含み、
前記第１の自動フィクスチャおよび前記第２の自動フィクスチャは、互いに対して配置され、前記第１の自動フィクスチャが前記ターゲット縫合デバイスを３次元的に移動させて、前記縫合デバイスを前記湾曲針の前記経路に配置し、前記ターゲット縫合デバイス上に所定の縫合パターンを実装することができるように構成されている、
縫合システム。
【請求項１２】
前記ターゲット縫合デバイスは心臓弁である、請求項１１に記載の縫合システム。
【請求項１３】
前記第１の自動フィクスチャは、前記ターゲット縫合デバイスをどのように配置するかを前記第１の自動フィクスチャに指示するように構成された第１のコントローラを含む、請求項１１または１２に記載の縫合システム。
【請求項１４】
前記第２の自動フィクスチャは、前記湾曲針を移動させて前記縫合パターンを実装するときを前記第２の自動フィクスチャに指示するように構成された第２のコントローラを含む、請求項１１から１３のいずれか一項に記載の縫合システム。
【請求項１５】
前記第２の自動フィクスチャは、前記縫合パターンを実装するときに縫合糸を定張力の状態に保つことができる張力デバイスを含む、請求項１１から１４のいずれか一項に記載の縫合システム。
【請求項１６】
前記第１の自動フィクスチャは、前記ターゲット縫合デバイスを少なくとも４つの方向に移動させるように構成されている、請求項１１から１５のいずれか一項に記載の縫合システム。
【請求項１７】
前記第１の自動フィクスチャは関節アームを含む、請求項１１から１６のいずれか一項に記載の縫合システム。
【請求項１８】
前記第２の自動フィクスチャは、前記湾曲針を用いて、前記縫合パターンをシングル縫合ステッチングとして実装するように構成されている、請求項１１から１７のいずれか一項に記載の縫合システム。
【請求項１９】
前記湾曲針の移動は、前記ステッチルーパの移動に対してロックされている、請求項１１から１８のいずれか一項に記載の縫合システム。
【請求項２０】
前記ステッチルーパは、前記ステッチルーパの回転を含む第２の固定経路に沿って移動し、前記縫合糸の前記一部を用いて前記ループを形成する、請求項１１から１９のいずれか一項に記載の縫合システム。
【発明の詳細な説明】
【技術分野】
【０００１】
関連出願
本願は、２０１８年１月１２日に出願された「Automated Heart Valve Sewing」という名称の、Limsakouneらの米国仮特許出願第６２／６１７，１１４号から優先権を主張するものであり、これを参照により本明細書に組み込む。
【背景技術】
【０００２】
医療デバイス、人工インプラント、人工心臓弁などには、そのいくつかの部分および／または構成要素の縫製、処理、検査などが要求されることがある。このようなデバイスのための縫合または他の動作の実行における精度および／または効率は重要であり得る。さらに、いくつかの心臓弁縫合動作または他の動作は時間がかかり、困難なことがある。
【先行技術文献】
【特許文献】
【０００３】
【特許文献１】国際公開第２０１５／０７０２４９号パンフレット
【発明の概要】
【発明が解決しようとする課題】
【０００４】
本発明は、インプラントデバイスを縫合する方法および縫合システムを提供する。
【課題を解決するための手段】
【０００５】
この概要は、いくつかの例を提供することを意味しており、決して本発明の範囲を限定することを意図していない。たとえば、この概要の例に含まれるいかなる特徴も、請求項がその特徴を明示的に規定していなければ、請求項によって要求されない。また、この概要およびこの開示内の他の場所における例に記載の特徴、ステップ、概念などは、さまざまな方法で組み合わせることができる。本明細書の説明は、心臓弁および／または関連もしくは関係する構成要素、デバイス、装置などを製造ならびに処理するために利用することができるデバイス、装置、システム、アセンブリ、方法、組合せなどに関する。他の特徴の中で、これらもしくはこれらの要素は、パラメータのセットを入力として受け取ることができるロジックを利用または包含することができ、この入力は、パラメータが入力として受け取られた後、ユーザにグラフィック表示することができ、および／または分析されて新たなデータを生成および／またはグラフィック表示することができる。
【０００６】
いくつかの実装形態において、本開示は、ターゲットデバイスまたはコンポーネントを製造する方法、たとえば、人工インプラントデバイス（たとえば、人工ヒトインプラントデバイス、人工心臓弁、人工ヒト心臓弁など）を製造または縫合する方法に関する。この方法は、自動フィクスチャに指示（たとえば、入力を提供する、プログラミングする、プログラムを実行させる、ボタンを押す、アイコンをクリックするなど）して、ターゲットデバイス（たとえば、人工インプラントデバイスなど）を第１の位置に配置するステップと、ターゲットデバイスに対して第１の動作または手順を実行するステップと、自動フィクスチャに指示（たとえば、入力を提供する、プログラミングする、プログラムを実行させる、ボタンを押す、アイコンをクリックするなど）して、ターゲットデバイスを第２の位置に配置するステップと、ターゲットデバイスに対して第２の動作または手順を実行するステップと、を含む。この方法は、ターゲットデバイスをホルダコンポーネントに配置するステップを含むことができる。
【０００７】
この方法はまた、針およびステッチルーパを用いて、針が縫合糸または糸を解放することなくステッチが形成されるように、ターゲットデバイス上にステッチを形成するステップを含むことができる。針は湾曲針とすることができ、これはステッチルーパと連動して往復運動し、ステッチルーパはこの湾曲針と協調して往復運動してターゲットデバイス上にステッチを形成する。
【０００８】
いくつかの実装形態において、インプラントデバイスを縫合する方法が、ターゲットまたはインプラントデバイス（たとえば、人工心臓弁など）を第１の自動フィクスチャのホルダコンポーネントに配置するステップと、第１の自動フィクスチャに指示（たとえば、入力を提供する、プログラミングする、プログラムを実行させる、ボタンを押す、アイコンをクリックするなど）して、ターゲットまたはインプラントデバイスを第１の位置に配置するステップと、を含む。
【０００９】
いくつかの実装形態において、この方法はまた、第２の自動フィクスチャに指示（たとえば、入力を提供する、プログラミングする、プログラムを実行させる、ボタンを押す、アイコンをクリックするなど）して、ターゲットまたはインプラントデバイスに縫合される材料に湾曲針を出入りさせることによってインプラントデバイス上に第１のステッチを実行するステップを含む。
【００１０】
この方法はまた、第１の自動フィクスチャに指示（たとえば、入力を提供する、プログラミングする、プログラムを実行させる、ボタンを押す、アイコンをクリックするなど）して、ターゲットまたはインプラントデバイスを第２の位置（および、任意選択で、第３の、第４の、第５の、および／またはさらなる追加の位置）に配置するステップを含むことができる。
【００１１】
いくつかの実施形態において、この方法はまた、第２の自動フィクスチャに指示（たとえば、入力を提供する、プログラミングする、プログラムを実行させる、ボタンを押す、アイコンをクリックするなど）して、ターゲットまたはインプラントデバイスに縫合される材料に湾曲針を出入りさせることによってインプラントデバイス上に第２のステッチを実行するステップを含む。
【００１２】
第２の自動フィクスチャは、湾曲針と協調して移動して第１のステッチおよび第２のステッチを形成するステッチルーパを含むことができる。
【００１３】
この方法はまた、インプラントデバイスを所定の位置で周方向に回転させるように第１の自動フィクスチャに指示するステップを含むことができる。
【００１４】
いくつかの実施形態において、この方法は、第１の自動フィクスチャおよび第２の自動フィクスチャを制御するように構成された１つ以上のプロセッサを用いて、事前プログラムされた縫合手順スクリプトをロードするステップを含む。
【００１５】
第２の自動フィクスチャは、湾曲針を用いて、第１のステッチがシングル縫合ステッチとなるように第１のステッチを実行することができる。湾曲針は、湾曲針の固定経路に沿って材料に出入りするように構成することができる。湾曲針は、第１のステッチおよび第２のステッチのそれぞれについて２つの異なる場所で材料を通過することができる。
【００１６】
ステッチルーパは、第１のステッチの形成中に形成された挿入点を通して湾曲針が引き抜かれるときに縫合糸の一部を固定する２つ以上のタインを含むことができる。ステッチルーパは、縫合糸の一部でループを形成するように回転して第１のステッチを形成するように構成することができる。湾曲針は、ステッチルーパによって形成されたループを通過して第１のステッチを形成することができる。
【００１７】
いくつかの実装形態において、縫合システムが１つ以上の自動フィクスチャを含む。たとえば、このシステムは少なくとも第１の自動フィクスチャを含む。第１の自動フィクスチャは、複数の電動アクチュエータデバイスおよび縫合ターゲットホルダを含むことができる。第１の自動フィクスチャは、たとえば、ターゲット縫合デバイス（たとえば、心臓弁など）が縫合ターゲットホルダに取り付けられているとき、このターゲット縫合デバイスを移動または回転させるように構成されている。
【００１８】
いくつかの実施形態において、このシステムはまた、少なくとも第２の自動フィクスチャを含む。いくつかの実施形態において、第２の自動フィクスチャは湾曲針を含み、固定経路において湾曲針を移動させるように構成することができる。
【００１９】
いくつかの実施形態において、第２の自動フィクスチャはまた、ステッチルーパを含む。ステッチルーパは１つ以上のタインを有することができる。ステッチルーパ（たとえば、ステッチルーパのタイン）は、縫合糸の一部を固定し、湾曲針が固定経路において移動するときに縫合糸の一部を用いてループを形成するように構成することができる。いくつかの実施形態において、ステッチルーパは、ステッチルーパの回転を含む第２の固定経路に沿って移動し、縫合糸の一部を用いてループを形成する。湾曲針の移動は、ステッチルーパの移動に対してロックされる、または同期させることができる。
【００２０】
いくつかの実施形態において、システムの第１の自動フィクスチャおよび第２の自動フィクスチャは、互いに対して配置され、第１の自動フィクスチャがターゲット縫合デバイスを３次元で移動させてターゲット縫合デバイスを湾曲針の経路に配置することができるように構成されている。このシステムおよびその構成要素またはフィクスチャは、ターゲット縫合デバイス上に所定の縫合パターンを実装するように構成することができる。
【００２１】
いくつかの実施形態において、第１の自動フィクスチャは、ターゲット縫合デバイスをどのように配置するかを第１の自動フィクスチャに指示するように構成された第１のコントローラを含む。いくつかの実施形態において、第２の自動フィクスチャは、湾曲針を移動させて縫合パターンを実装するときを第２の自動フィクスチャに指示するように構成された第２のコントローラを含む。
【００２２】
第２の自動フィクスチャは、縫合パターンを実装するときに縫合糸を定張力の状態に保つことができる張力デバイスを含むことができる。
【００２３】
いくつかの実施形態において、第１の自動フィクスチャは、ターゲット縫合デバイスを少なくとも４つの方向に移動させるように構成されている。第１の自動フィクスチャは関節アームを含むことができる。
【００２４】
このシステム、たとえば、システムの第２の自動フィクスチャは、湾曲針を用いて、縫合パターンをシングル縫合ステッチングとして実装するように構成することができる。
【００２５】
これらの例において具体的に述べていないが、本明細書の他の場所で説明している、または他の方法で知られている他のステップ、特徴、構成要素なども含まれ、および／またはここで説明した例とともに用いることができる。
【００２６】
さまざまな実施形態が例示の目的で添付の図面に描かれているが、本明細書に開示された発明のいずれかの範囲を限定するとして決して解釈されるべきではない。加えて、異なる開示された実施形態のさまざまな特徴を組み合わせて、追加の実施形態を形成することができ、これらはこの開示の一部である。図面全体を通して、参照要素間の対応を示すため、参照番号を再利用することができる。
【図面の簡単な説明】
【００２７】
【図１】埋め込み可能な人工弁デバイスの一例を示す図である。
【図２】別の人工心臓弁の一例の斜視図を示す図である。
【図３Ａ】一例の外科用弁のための支持ステント用のフレームを示す図である。
【図３Ｂ】布地で覆われた図３Ａのフレームを示す図である。
【図４】インプラントデバイスに対して動作を実行しているオペレータの一例を示す図である。
【図５】手での保持および縫合を用いて縫合されている心臓弁インプラントデバイスの拡大図を示す図である。
【図６】インプラントデバイスに関連し得る布地の拡大図を示す図である。
【図７】一例の縫合システムを示すブロック図を示す図である。
【図８Ａ】一例の縫合システムの斜視図を示す図である。
【図８Ｂ】図８Ａの例の縫合システムを用いてインプラントデバイスを縫合するための一例のプロセスを示す図である。
【図８Ｃ】図８Ａの例の縫合システムを用いてインプラントデバイスを縫合するための一例のプロセスを示す図である。
【図８Ｄ】図８Ａの例の縫合システムを用いてインプラントデバイスを縫合するための一例のプロセスを示す図である。
【図８Ｅ】図８Ａの例の縫合システムを用いてインプラントデバイスを縫合するための一例のプロセスを示す図である。
【図８Ｆ】図８Ａの例の縫合システムを用いてインプラントデバイスを縫合するための一例のプロセスを示す図である。
【図８Ｇ】図８Ａの例の縫合システムを用いてインプラントデバイスを縫合するための一例のプロセスを示す図である。
【図８Ｈ】図８Ａの例の縫合システムを用いてインプラントデバイスを縫合するための一例のプロセスを示す図である。
【図８Ｉ】図８Ａの例の縫合システムを用いてインプラントデバイスを縫合するための別の一例のプロセスを示す図である。
【図８Ｊ】図８Ａの例の縫合システムを用いてインプラントデバイスを縫合するための別の一例のプロセスを示す図である。
【図８Ｋ】図８Ａの例の縫合システムを用いてインプラントデバイスを縫合するための別の一例のプロセスを示す図である。
【図８Ｌ】図８Ａの例の縫合システムを用いてインプラントデバイスを縫合するための別の一例のプロセスを示す図である。
【図８Ｍ】図８Ａの例の縫合システムを用いてインプラントデバイスを縫合するための別の一例のプロセスを示す図である。
【図８Ｎ】図８Ａの例の縫合システムを用いてインプラントデバイスを縫合するための別の一例のプロセスを示す図である。
【図８Ｏ】図８Ａの例の縫合システムを用いてインプラントデバイスを縫合するための別の一例のプロセスを示す図である。
【図９】自動縫合フィクスチャを制御するための一例の制御システムのブロック図を示す図である。
【図１０】ホルダコンポーネントに結合された自動縫合フィクスチャの一例の遠位関節アームを示す図である。
【発明を実施するための形態】
【００２８】
いくつかの好ましい実施形態および例を以下に開示するが、発明の主題は、具体的に開示された実施形態を超えて、他の代替実施形態および／または使用、ならびにその修正および同等物に及ぶ。したがって、ここから生じ得る請求項の範囲は、以下に説明する特定の実施形態のいずれによっても限定されない。たとえば、本明細書に開示された任意の方法またはプロセスにおいて、その方法またはプロセスの行為または動作は、任意の適切な順序で実行することができ、いかなる特定の開示された順序に必ずしも限定されない。さらに、１つの方法に関して開示された１つ以上のステップは、本明細書に開示された他の方法に組み込むことができる。いくつかの実施形態を理解するのに役立ち得る方法で、複数の別個の動作としてさまざまな動作を順に説明することができるが、説明の順序は、これらの動作が順序に依存することを意味すると解釈すべきではない。加えて、本明細書に記載の構造、システム、および／またはデバイスは、統合された構成要素として、または別個の構成要素として実施することができる。さまざまな実施形態を比較する目的で、これらの実施形態のいくつかの態様および利点を説明する。必ずしもすべてのこのような態様または利点が、いずれかの特定の実施形態によって達成されるわけではない。したがって、たとえば、本明細書で教示されるような１つの利点または利点の群を達成または最適化する方法で、これも本明細書で教示または示唆され得るような他の態様または利点を必ずしも達成することなく、さまざまな実施形態を実行することができる。１つの例示的な実施形態に関して説明された特徴は、本明細書に開示された他の実施形態に、その実施形態に関して具体的に説明されていなくても、組み込むことができる。
【００２９】
人工心臓弁インプラント、ならびに多くの他の種類の人工インプラントデバイスおよび他の種類のデバイスは、さまざまな縫合された構成要素および／または部分を含むことができる。たとえば、封止部分、スカートなどを人工心臓弁のフレームに縫合して、人工心臓弁の外縁または周囲に血液が漏れることを防止するのを助けることができる。人間のオペレータによる縫合の実行は、いくつかの状況において比較的困難および／または煩雑なことがある。たとえば、小さなステッチが高精度で作製されるべき場合、複雑さおよび／または関連するオペレータの負担は、怪我および／または製品の質の望ましくない低下という結果をもたらすことがある。さらに、いくつかの心臓弁インプラントデバイスには数百の縫合が要求されることがあり、これは実質的に労働集約的で過誤を受けやすい縫合手順を伴う可能性がある。したがって、製造の品質、速度を改善する、および／または人間のオペレータに関連する問題を防止するのを助けるため、インプラントの縫合に自動化を追加することが望まれ得る。
【００３０】
本明細書に開示されるいくつかの実施形態は、１つ以上の自動機械式関節フィクスチャ、コンポーネントおよび／もしくはサブアセンブリの物理的操作および／もしくは配置を伴う縫合手順を実行するための心臓弁縫合システム、デバイス、ならびに／または方法を提供する。このような関節フィクスチャもしくはコンポーネントは、人工ヒト心臓弁インプラントデバイス、または有利に一緒に縫合され得る１つ以上の構成要素もしくは部分を有する他の縫合対象もしくはインプラントデバイスを保持もしくは固定するように構成することができる。本明細書に提示される心臓弁縫合に関するさまざまな実施形態は、任意の種類の縫合および／または構造的構成もしくはパターンを有する心臓弁に適用可能であり得る。本明細書に提示されるいくつかの実施形態に適用可能であり得る心臓弁構造および心臓弁縫合技術の例が、特許文献１に開示されており、これの全内容を参照により本明細書に明示的に組み込む。
【００３１】
図１は、１つ以上の実施形態による埋め込み可能な人工ヒト弁デバイス１１０を示す。本明細書に記載の弁１１０の特徴は、本明細書の他の場所に記載の他の弁を含め、他の弁に適用することができる。弁１１０は、たとえば、経カテーテル心臓弁（ＴＨＶ）、バルーン拡張型心臓弁、および／または機械拡張型心臓弁であり得る。図示の実施形態における弁１１０は概して、フレームまたはステント１１２、フレーム１１２によって支持された小葉構造１９３、および小葉構造１９３の外表面に固定（たとえば、縫合）された封止部材またはスカート１１６を含むことができる。いくつかの実施形態において、弁１１０は、大動脈弁のような、人間の生来の心臓弁の輪に埋め込まれるように構成されている。しかしながら、弁１１０は加えて、または代わりに、心臓の他の生来の弁、または身体のさまざまな他の脈管構造、管、または孔、または体内に埋め込まれた移植片、ドッキングステント、ドッキングステーション、リングなどに埋め込まれるように適合することができる。弁１１０の図示の向きによる下端１８０は流入端を表す一方、弁１１０の図示の向きによる上端１８２は流出端を表す。
【００３２】
弁１１０およびフレーム１１２は、送達カテーテルを用いて体内へ導入するために折り畳みまたは縮み状態もしくは構成に径方向に折り畳み可能であるように構成することができ、体内の所望の場所（たとえば、生来の大動脈弁）で弁を埋め込むために拡張状態または構成に径方向に拡張可能であるようにさらに構成することができる。いくつかの実施形態において、フレーム１１２は、弁１１０の送達および拡張のために弁をより小さな外形に縮ませることを可能にするプラスチック、ポリマー、形状記憶材料、または金属拡張可能材料を含む。いくつかの実装形態において、バルーンカテーテルのバルーンまたは機械的拡張のためのツールのような拡張デバイスを用いて、弁を拡張する、または弁の拡張を助けることができる。いくつかの実施形態において、弁１１０は自己拡張型弁であり、フレームは、形状記憶材料または金属（たとえば、ニチノール）のような自己拡張型材料からなる。自己拡張型弁は、より小さな外形に縮ませることができ、弁を覆うシースのような拘束デバイスで縮み状態に保持することができる。弁がターゲット部位またはその近くに配置されると、拘束デバイスを取り外し、または引っ込めて、弁がその拡張された機能的サイズまたは展開構成へ自己拡張することを可能にすることができる。
【００３３】
封止部分またはスカート１１６は、互いに固定されて図１に示す環状形状を形成するか、または弁の周囲に延在する両端を備えた単一片以上片または材料（たとえば、布、ポリマーなど）を含むことができる。いくつかの実施形態において、封止部分またはスカート１１６の上縁は、フレーム１１２のストラットの形状に概ね従う波状形状を有する。このように、封止部分またはスカート１１６の上縁部は、縫合糸１５６でそれぞれのストラットにしっかりと固定することができる。封止部分またはスカート１１６は、フレーム１１２の外側またはフレーム１１２の内側に（図示のように）配置することができ、封止部分またはスカート１１６の上縁部を、フレームストラットの上表面の周りに巻き付けて縫合糸で適所に固定することができる。縫合糸１５６により、封止部分またはスカート１１６のフレーム１１２への耐久性のある取り付けが提供される。
【００３４】
小葉構造１９３は、いくつかの実施形態において３つの小葉（図１に示すように）を含むことができ、これらは三尖配置に折り畳めるように配置することができる。３つの小葉の実施形態を示しているが、本明細書に開示される実施形態に従って縫合される弁インプラントは、たとえば、２つまたは４つのような任意の数の小葉を有することができるということが理解されるべきである。小葉１９３は、材料もしくは組織の別個のフラップから形成することができ、または３つすべての小葉を単一の材料から得ることができる。小葉構造１９３の下縁はさまざまな形状を有することができる。いくつかの実施形態において、小葉構造１９３の下縁は、フレーム１１２に縫合することができる波状、湾曲、および／またはスカラップ形状を有することができる。小葉１９３は、それらの隣接する側で互いに固定されて小葉構造の交連１８４を形成することができ、ここで小葉の縁部が一体となる。小葉構造１９３は、任意の適切な技術および／または機構を用いてフレーム１１２に固定することができる。たとえば、小葉構造の交連１８４は、たとえば、縫合糸、接着剤、締め付け部分、圧着、および／または他の取り付け手段を用いて、支持ポスト１１８と位置を合わせてこれらに固定することができる。いくつかの実装形態において、小葉１９３のポスト１１８への取り付け点を、たとえば、より剛性の材料またはステンレス鋼を含むバーで補強することができる。
【００３５】
図２は、１つ以上の実施形態による人工心臓弁２１０の斜視図を示す。心臓弁２１０は、心臓弁腔に心臓弁２１０を入れ子にする、および／または心臓の輪もしくは他の構造上に載せる、または取り付けるための支持を提供するように構成された周辺封止リング構造２９１を含むことができる。弁２１０は、金属フレームのようなフレーム部材２９２をさらに含むことができ、これは、複数の可撓性小葉２９３のための支持を提供することができるとともに３つの直立交連ポスト２９４を画定することができ、交連ポスト２９４間で小葉２９３を支持することができる。いくつかの実装形態において、図２に示すように、封止リング２９１は、弁２１０の流入端でフレーム部材２９２の周囲に取り付けることができ、交連ポスト２９４は流出方向に突出している。
【００３６】
小葉２９３は、材料もしくは組織の別個のフラップから形成することができ、または３つすべての小葉を単一の材料から得ることができる。小葉２９３は、交連ポスト２９４によって、ならびに交連ポスト間のフレーム部材の弓状の先端に沿って固定および支持することができる。
【００３７】
図３Ａは、図２の弁２１０のような外科用心臓弁用の支持ステント用のフレーム３９２を示す。フレーム３９２は、軸方向流出端に向かって突出する複数の交連３２２と交互になっている軸方向流入端に向かって湾曲した複数の尖部を含むことができ、支持ステント３９２は波状の流出縁を画定する。支持ステント３９２は、周囲を概ね囲む３つの尖部３２４と交互になっている３つの直立交連３２２を有するワイヤフォーム３２０を含むことができる。ワイヤフォーム３２０内または外に補剛バンド３２６を配置することができる。バンド３２６の流入縁は、ワイヤフォーム３２０の尖部３２４に適合または少なくとも部分的に適合させることができ、たとえば、図３Ａに示すように、ワイヤフォーム交連３２２の領域においては間で流出方向に湾曲させることができる。いくつかの実施形態において、支持ステント３９２は、図２の一方向人工心臓弁（たとえば、弁２１０）の支持構造を提供する。
【００３８】
図３Ｂは、布地３４０で覆われた図３Ａのフレームを示しており、布地３４０をフレーム３９２のためのカバーリングとして固定するため、布地３４０を１つ以上の部分において縫合することができる。布地で覆われた支持ステント３４２は概ね管状であり得、軸方向流出端に向かって突出する複数の交連３４６と交互になっている軸方向流入端に向かって湾曲している複数の尖部３４４を含むことができる。支持ステント３４２は、布地３４０がその周りに固定保持されている波状の流出縁を含むことができる。いくつかの実施形態において、支持ステントの周りに布地３４０を固定する流入縁３５２に隣接して縫い目３５０が縫合されている。縫い目３５０は、明瞭にするために流入縁３５２の僅かに軸方向上方に示されているが、流入端に直接、または支持ステントの内部にさえ配置することができる。いくつかの実装形態において、１つ以上の縫い目を布地に沿った他の位置に配置することができる。支持ステント３４２の縫合は、複数の方法で実行または追加することができる。さらに、いくつかのステッチを図３Ｂに示しているが、支持ステント３４２および／または図２の弁インプラント２１０は、任意の種類もしくは数のステッチまたは縫合を含むことができる。たとえば、支持ステント３４２および／または関連するインプラントデバイスの１つ以上の他の構成要素にも、小葉および／または他の材料を縫合することができる。
【００３９】
上述のもののような人工心臓弁デバイスおよび／または他のインプラントデバイスの縫合は、さまざまな方法で実行することができる。たとえば、人工ヒトインプラントデバイスを縫合するためのいくつかの手持ちのプロセスを実施することができ、オペレータが、インプラントデバイスを保持、固定、および／または縫合するために両手を利用する。図４は、人工ヒトインプラントデバイス４１０に対して動作を実行しているオペレータ４０５を示す。たとえば、オペレータ４０５は、上述のように、デバイス４１０の外側のワイヤフレームを内側スカートまたは布に縫合することができ、ここでインプラントデバイス４１０は経カテーテル心臓弁デバイスである。あるいは、インプラントデバイス４１０は、外科用弁デバイス、または他のタイプのインプラントデバイスであり得る。インプラントデバイス４１０は、本明細書に示す弁の１つと同じもしくは同様であり得、または異なる種類の弁もしくはインプラントデバイスであり得る。
【００４０】
図４の図に示すように、いくつかのプロセスにおいて、オペレータ４０５は、関係する縫合動作を実行するためにオペレータの手の両方を利用する必要があり得る。たとえば、第１の手４０６を用いてインプラントデバイス４１０を保持および／または固定することができ、第２の手４０７を用いて縫合針などを手で操作することができる。
【００４１】
オペレータ４０５がインプラントデバイス４１０に対して関係する縫合動作を効果的に実行するため、インプラントデバイス４１０の見た目を何らかの方法で拡大またはさもなければ強化することが必要であり、または望まれ得る。たとえば、図示のように、オペレータは、顕微鏡のような拡大システム４６０をさらに利用することができ、これは、接眼レンズコンポーネント４６１ならびに１つ以上のレンズおよび／または屈折要素４６３を含むことができる。いくつかの実施形態において、拡大システム４６０は、オペレータ４０５が第１の角度で視線４０９を有することができるように設計され、拡大システム４６０は、下向き角度４０８で中の光を少なくとも部分的に反射させて下のターゲット焦点面に焦点を合わせるように構成されている。
【００４２】
図５は、上述のように、手での保持および縫合を用いて縫合されている人工ヒトインプラントデバイスの拡大図を示す。図示のように、手持ちの縫合の解決策では、第１の手５０６にはターゲットインプラントデバイス５１０を保持することが要求され得る一方、第２の手５０７には縫合針５０９などを操作することが要求され得る。いくつかのプロセスによれば、オペレータは、長期間にわたって顕微鏡の実質的に一定の焦点において１つ以上の手を保持することが要求され得る。さらに、オペレータは、ターゲットインプラントデバイス５１０および／もしくは縫合針５０９の１つ以上の部分を圧迫し、押し、引っ張り、またはさもなければこれに手で力を加えることが要求され得る。
【００４３】
図６は、１つ以上の実施形態によるインプラントデバイスに関連する布地の拡大図を示す。このような布地は、間に比較的小さな隙間を有するリブを形成する織りストランドを含むことができる。たとえば、縫合されるべき布地領域における各リブは約０．２ｍｍ以下の厚さｔを有することができる。いくつかのプロセスでは、このような布地を１リブの精度内で配置および縫製したいとどうしても、または望ましく思うことがある。したがって、縫合コンポーネントおよびターゲットの正確な位置決めおよび集点合わせが望ましい。
【００４４】
上で特定された問題に対処して心臓弁および他のインプラントに対する要求を満たすため、縫製動作の自動化であれば、たとえば、接触時間、人的過誤、費用などを削減するため、製造に有益である可能性がある。
【００４５】
本明細書に開示されるいくつかの実施形態は、インプラントデバイスを縫合するためのマルチアクセスシステムおよび/または縫合システムを用いて、コンポーネントおよび/またはデバイス(たとえば、人工インプラントデバイス)を縫合するためのシステムおよびプロセスを提供する。このようなシステムは、コンポーネントまたはデバイス(たとえば、ヒト人工心臓弁デバイスなどのようなインプラントデバイス)を関節運動させるように構成することができ、コンポーネントまたはデバイスの正確な配置により、必要な、または所望の縫合動作が可能になり得る。さらに、このシステムは、後続の動作(たとえば、後続の縫合動作)のためにコンポーネントまたはデバイスを再配置するようにさらに構成することができる。
【００４６】
インプラントデバイスまたは心臓弁を縫合することには、ミリメートル、半ミリメートル、またはそれ以下の縫合精度が要求され得るが、特に両手持ちの縫合手順を実施するとき、リブまたは糸の間で縫合糸の場所が容易に見失われることがある。本開示の実施形態により、精度の向上を促進することができ、人的過誤を低減または排除するのを助けることができる。
【００４７】
本開示の実施形態に関して、1つ以上のカメラ、センサ、関節アーム、自動フィクスチャなどを組み込んだシステム、ならびに/またはたとえば経カテーテル心臓弁もしくは他のターゲットデバイスのためのフレームおよびスカート縫合に関して、所望の位置(たとえば、縫合位置など)を正しく配置および特定するためのこれらの2つ以上の組合せを用いることを通して、位置的精度を改善することができる。製造のための品質をさらに改善するための品質管理されたフィードバックを、たとえば、センサ、イメージング、および/またはフィードバック機構を用いて実装することもできる。
【００４８】
本明細書に開示される実施形態は、ヒト用人工インプラントデバイス(たとえば、人工心臓弁)ならびに/または他の種類のデバイスもしくはコンポーネントのための1つ以上の動作(たとえば、縫合動作、検討もしくは検査動作、および/もしくは他の動作)を実行するためのシステム、デバイス、方法などを提供する。本明細書のシステムは、完全に、またはほとんど自動化されたシステムであり得る。完全に、またはほとんど自動化されたシステムは、1つ以上の自動化フィクスチャを含むことができる。たとえば、第1の自動フィクスチャ(これは本明細書に記載および例示の自動フィクスチャまたは自動縫合フィクスチャと同じまたは同様であり得る)を用いて、処理動作またはステップ(たとえば、縫合、処理、適用など)のためのさまざまな所望の位置にインプラントデバイスを関節運動および移動させることができる一方、第2の自動化フィクスチャまたはデバイスを用いれば、さまざまな所望の位置で処理動作またはステップを実行することができる。たとえば、第2の自動フィクスチャは、針を中および外に移動させる縫製機と同様に動作して(たとえば、これは単一の平面において、および/または直線もしくは曲線の経路に沿って行うことができる)、ターゲットまたはインプラントデバイスに縫合を追加することができる一方、第1の自動フィクスチャは、ターゲットまたはインプラントデバイスを正しい位置へ移動させてターゲットまたはインプラントデバイス上の正しい場所において所望の縫合を受け取る。本明細書に記載の自動縫製システムは、インプラントまたは心臓弁の先に指定された縫製パターンでプログラムすることができる。縫合糸張力管理も用いて、適切な張力を維持および使用することができる。
【００４９】
いくつかの実装形態において、１つ以上の縫製動作のための完全に（またはほとんど）自動化された縫製プロセスが、２つのサブシステムまたは自動フィクスチャを含むことができ、一方のサブシステムまたは自動フィクスチャは、針の移動を変換することによってパターンを縫うように構成されている一方、他方のサブシステムまたは自動フィクスチャは、これと協調または同期し、多軸関節アーム（たとえば、５軸ロボットアーム）を利用してターゲットインプラントを縫製のために所望されるように把持して移動させることができる。縫製サブシステムまたは自動フィクスチャ内で、さまざまな種類の針を用いることができる。また、縫製サブシステムまたは自動フィクスチャは、針に取り付けられた縫合糸または糸を定張力に維持して、縫合糸または糸の線の弛みに関連する問題（たとえば、絡み合いのリスクなど）を回避するように構成された縫合糸張力デバイスを含むことができる。インプラント保持サブシステムまたは自動フィクスチャは、インプラントに損傷を与えないグリッパを含むことができ、インプラント保持デバイスおよびこれによって保持されたインプラントの経路を正確にマップするように構成することができる。
【００５０】
図７は、例示的な縫合システム７００のブロック図を示し、図８Ａは、システム７００の例示的なバージョンの斜視図を示す。システム７００の１つ以上の構成要素は、本明細書に記載するように、心臓弁デバイスまたは他のインプラントデバイスを縫合するために利用することができる。図７および図８Ａにおけるシステム７００の描写は、例示的であり限定的ではないことを意味するので、図７および図８Ａに示すさまざまな構成要素をシステム７００から省略することができるとともに、図７および図８Ａに示していない他の構成要素をシステム７００に追加することができる。これらは縮尺通り描かれておらず、構成要素はさまざまな大きさであり得る。たとえば、いくつかの実装形態において、針は、縫合線および穿刺をより小さくより正確にするため、図８Ａに示すより小さくなるように構成されている。
【００５１】
図７に示すように、システム７００は、１つ以上の電力入力、第１の自動フィクスチャ７１０（たとえば、縫製機のような）、第２の自動フィクスチャ７２０（たとえば、多軸ロボットまたは５軸ロボットのような）、フィードバックマイクロコントローラユニット（ＭＣＵ）などを含むことができる。いくつかの実施形態において、電力入力は、自動フィクスチャの一方または両方（たとえば、関節アームおよび縫製機フィクスチャの一方または両方）に電力を供給するように構成することができるコンセント電力（たとえば、１１０ボルトの）であるが、他の電力入力も可能である。
【００５２】
第１の自動フィクスチャ７１０は、コントローラ（たとえば、マイクロコントローラ）、１つ以上のアクチュエータ、糸または縫合糸供給システム、プログラミング、針ホルダまたは針グリッパ、回路、定張力コンポーネント、アルドゥイーノ、グリッパモータ、１つ以上のセンサ、配線、および／または他の構成要素を含むことができる。第２の自動フィクスチャ７２０は、コントローラ（たとえば、マイクロコントローラ）、１つ以上のアクチュエータ、把持フィクスチャ、プログラミング、回路、１つ以上のセンサ、ＣＭ−７００、配線、および／または他の構成要素を含むことができる。第１の自動フィクスチャ７１０および第２の自動フィクスチャ７２０は統合および同期され、第２の自動フィクスチャ７２０（たとえば、多軸ロボットアーム）によって保持されて所望の位置へ移動したターゲット埋め込み可能デバイスに対して第１の自動フィクスチャ７１０（たとえば、縫製機）が縫合動作を実行して縫合機能を実行することができる。
【００５３】
いくつかの実施形態において、システム７００、たとえば自動フィクスチャの１つ以上は、縫合プロセスに従って、自動フィクスチャの１つ以上の構成要素および／または他の構成要素に指示するように構成された１つ以上のコントローラ（たとえば、マイクロコントローラ）を含む。コントローラは、フィクスチャ制御信号（たとえば、縫合フィクスチャ制御信号）および／または縫合プロセスの１つ以上のステップに関連するデータを生成および／または提供するように設計された１つ以上のハードウェアおよび／またはソフトウェアコンポーネントを含むことができる。たとえば、コントローラは、１つ以上のプロセッサを含むコンピューティングデバイス、ならびに揮発性および／または不揮発性データ記憶媒体を含むことができる１つ以上のデータ記憶デバイスまたはコンポーネントを含むことができる。いくつかの実施形態において、データストレージは、プロセススクリプトデータ（たとえば、縫合プロセススクリプトデータ）を格納するように構成され、これは、縫合プロセスのさまざまなステップおよび／またはステージについてシステム７００の１つ以上のコンポーネントおよび／またはフィクスチャの配置を示すデータを含むことができる。複数のステップを含むプロセスが、プロセスのそれぞれのステップまたはステージごとに、自動フィクスチャの１つ以上の構成要素および／またはシステム７００の１つ以上の追加構成要素のための位置情報を表す数値または他のデータセットによって少なくとも部分的に表され得る。たとえば、複数の縫合ステップを含む縫合プロセスが、縫合プロセスのそれぞれのステップまたはステージごとに、システム７００のシステムの１つ以上の構成要素および／またはフィクスチャのための位置情報を表す数値または他のデータセットによって少なくとも部分的に表され得る。
【００５４】
自動フィクスチャ７１０は針７４０を含むことができる。さまざまな針を用いることができる。ＮｉＴｉ／ニチノール、デルリン、コバルトクロム、ＡＢＳプラスチック、ＰＥＥＫプラスチック、ポリカーボネートベースを有する強力プラスチックの１つ以上を含む非腐食性湾曲針を用いることができる。針７４０は、完全な円を形成しない半円形状または湾曲形状に湾曲させることができる。たとえば、いくつかの実装形態において、針は、円の回転の７０度と２２０度との間または１００度と１９０度との間の弧を形成する湾曲形状を有する。
【００５５】
自動フィクスチャ７１０は、縫製プロセス中に針を保持するように構成された針グリッパまたは針把持機構を含むことができる。針グリッパはドリルチャックツールホルダを含むことができ、真空圧を用いることができ、機械的グリッパなどを含むことができる。自動フィクスチャ７１０はまた、容易に調節可能な糸のスプールを保持するために用いられるシステムのような張力デバイス７３０を含むことができ、糸を定張力に保つことができる。張力デバイスは、ばねシステム、ボルトおよびばねのシステム、ボルト、ナット、およびばねのシステム、ボビンテンションメータ、ＰＩＤコントローラなどを含むことができる。
【００５６】
自動フィクスチャ７２０は、縫製が行われている間、ターゲットインプラントを保持するように構成されたホルダまたはホルダアセンブリ（たとえば、グリッパまたは把持フィクスチャ）を含むことができる。たとえば、グリッパは、縫製が行われている間、インプラントを保持するように構成された多突起グリッパ（たとえば、２または３突起グリッパ）とすることができる。任意選択で、グリッパは内側ベローグリッパ、有突起グリッパ、３Ｄプリントグリッパ、ケージドグリッパ、または別のタイプのグリッパとすることができる。いくつかの実施形態において、縫合ターゲット（たとえば、人工インプラントデバイス）を保持または固定するように構成された縫合ターゲットホルダセンブリは、図１０に示すターゲットホルダセンブリと同様であり得る。
【００５７】
自動フィクスチャ７２０はまた、さまざまなセンサを含むことができる。たとえば、このフィクスチャは、縫製プロセス中の弁フィクスチャの位置および回転、ならびにプロセスに伴う力を検出するセンサを含むことができる。たとえば、自動フィクスチャ７２０はまた、把持力センサを含むことができ、これは、グリッパがインプラントに加える力を中継するように構成することができる。自動フィクスチャ７２０はまた、ジャイロスコープセンサを含むことができ、これは、第２の自動フィクスチャまたはその関節アームの回転を測定するように構成することができる。自動フィクスチャ７２０はまた、加速度計センサを含むことができ、これは、自動フィクスチャまたはその関節アームのエンドエフェクタの位置を測定するように構成することができる。
【００５８】
複数の縫合糸または糸での縫合動作が可能であるが、いくつかの実装形態において、自動フィクスチャ７２０は、用いられる縫合糸または糸の量およびインプラントの体積を減らすために単一の縫合糸または糸の縫製動作を実行するように構成されている。自動フィクスチャ７１０は、湾曲針を備えた修正されたヘミングのような機械として構成することができ、これによって材料を通過するたびに針を移動するプロセスを排除して、単一の糸動作を可能にすることができる。これを行う１つの方法は、ヘミング機またはブラインドステッチヘミング機と同様の、縫合糸または糸を縫う、または適用することができる機械を用いることであり、この機械は、インプラントでの使用に合わせて特別に適合および大きさ決定されており、縫合中にインプラントを望み通り自動的に移動させる自動フィクスチャと連携している。このような機械を用いる手順の例を図８Ｂ〜図８Ｏに示す。湾曲針は、縫合糸または糸が通過する、針の鋭利または貫通端の近く（または端部と針に沿った別の点、たとえば、針の中央との間）に穴を含むことができ、湾曲針が回転するにつれて、ステントまたはフレームに縫い付けられる材料（たとえば、カバー、シール、小葉、または他の材料）内へ、次いでそこから外へ湾曲針は縫合糸または糸を向けることができる。自動フィクスチャ７２０はまた、縫合糸または糸にループを形成して引っ張り、縫合糸の他の部分と組み合わせてデバイスに沿ってステッチングを形成する構成要素を含むことができる。自動フィクスチャ７１０は、自動フィクスチャ７２０が縫製をして（たとえば、固定経路に沿って湾曲針を移動させる）、所望の縫合パターンを作成するとき、ターゲットインプラントを移動、回転などさせるように構成されている。ターゲットインプラントの移動は３次元で行われる。自動フィクスチャは、プログラムされ、協調、同期して共に働き、さまざまなインプラント上にさまざまな所望の縫合パターンを達成する。
【００５９】
図８Ｂ〜図８Ｈは、支持構造７１２（たとえば、図１に関して説明したフレーム１１２）に固定されるべき布地または他の材料７１６（たとえば、図１に関して説明したスカート１１６）を有するターゲットデバイスまたは縫合ターゲットにステッチを形成するための例示的なプロセスを示す。これらの図は、簡素化および明確化のため、材料または布地７１６および支持構造７１２の側面断面図を用いてこのプロセスを示している。図８Ｂに示すように、このプロセスは、自動フィクスチャ（たとえば、自動フィクスチャ７１０、自動縫製フィクスチャなど）において針７４０およびステッチルーパ７４５を用い、針７４０の移動およびステッチルーパの移動は、共通のモータ、共通のギアなどの使用を通して共に協調および／またはロックされる。針７４０は、湾曲針または直線針であり得る。針７４０は、針７４０の穴を通過する縫合糸７４３を保持する。ステッチルーパ７４５は、縫合糸７４３の一部を保持し、ステッチングプロセス中に縫合糸７４３のその部分でループを形成するように構成されている２つ以上のタインを含む。針７４０は、ステッチルーパ７４５のタインの間を通過して、材料または布地７１６上にステッチを形成するように構成することができる。
【００６０】
図８Ｃは、針７４０がスカート１１６を通して挿入されて縫合糸が挿入点でスカートを通過している状態を示す。図８Ｄは、ステッチルーパ７４５が針７４０に向かって移動してステッチルーパが縫合糸７４３の一部と針７４０との間を通過している状態を示す。図８Ｅは、針７４０が同じ挿入点を通して引き抜かれた状態を示す。縫合糸７４３は、ステッチルーパ７４５の周りに巻き付けられたままとなって、材料または布地７１６の引き抜かれた針７４０とは反対側に縫合糸７４３の一部を維持する。図８Ｆは、ステッチルーパが回転して縫合糸７４３にループを形成している状態を示す。加えて、材料または布地７１６は、針７４０に対して移動する（たとえば、自動フィクスチャまたは他の手段の移動によって）。図８Ｇは、針７４０に対する材料または布地７１６の移動により、新たな挿入点で材料または布地７１６を通して針７４０が挿入されている状態を示す。針は、ステッチルーパ７４５のタインおよび縫合糸７４３によって形成されたループを通過している。ステッチルーパ７４５が引き抜かれる（たとえば、図において上方へ移動する）と、ステッチルーパ７４５によって保持された縫合糸７４３の部分はステッチルーパ７４５のタインから滑り落ちて、縫合糸７４３によって形成されたループは、針７４０によって保持された縫合糸７４３の部分の周りを締め付ける。図８Ｈは、このプロセスによって形成されたステッチ７５６を示す。このプロセスは、材料７１６上の新たな場所におけるステッチについて図８Ｃに示すステップで繰り返す。
【００６１】
図８Ｉ〜図８Ｏは、支持構造７１２に固定されるべき材料または布地７１６を備えたターゲットデバイスまたは縫合ターゲットにステッチを形成するための別の一例のプロセスを示す。このプロセスは、自動フィクスチャ（たとえば、自動フィクスチャ７１０、自動縫製フィクスチャなど）において湾曲針７４０およびステッチルーパ７４５を用いる。このプロセスは、材料または布地の方を見下ろして示されているので、これらの図において針の湾曲は明らかではない。しかしながら、針７４０の湾曲により、材料または布地７１６の角度を変更する必要なく、および／または材料もしくは布地７１６をつまむもしくは束ねる必要なく、支持構造の両側の材料または布地７１６の２点を通して針７４０を挿入することが可能になる。
【００６２】
図８Ｉは、湾曲針７４０が針７４０の遠位端で針７４０の穴を通して縫合糸７４３を固定している状態を示す。ステッチルーパ７４５は、プロセス中に縫合糸７４３の一部を固定するように構成された複数のタインを含む。ステッチルーパ７４５は、針７４０が挿入点を通して引き抜かれる間、縫合糸７４３の一部を保持するように構成されている。ステッチルーパ７４５はまた、縫合糸７４３にループを形成し、縫合糸によって形成されたループを位置決めして、次のステッチのための新たな挿入点を作成する前に、針７４０が形成されたループを通過するように構成されている。
【００６３】
図８Ｊは、針７４０が支持構造７１２の下で材料または布地７１６を通過する２つの挿入点を形成している状態を示す。２つの挿入点は、材料または布地７１６を支持構造７１２に固定するステッチを形成する相補的な目標場所になるように構成される。図８Ｋは、ステッチルーパ７４５が針７４０に向かって移動して縫合糸の一部を固定している状態を示す。ステッチルーパ７４５は、縫合糸７４３の一部と針７４０との間を通過して縫合糸７４３の一部を固定する。図８Ｌは、針７４０が作成したばかりの同じ挿入点を通して針７４０が引き抜かれる一方、ステッチルーパ７４５は縫合糸７４３の一部を固定して、縫合糸７４３のその部分がこれらの挿入点を通過しないようにしている状態を示す。図８Ｍは、ステッチルーパ７４５も回転させる方法で、ステッチルーパ７４５が引き抜かれた針に向かって移動している状態を示す。この移動により、縫合糸７４３にループが生成される。図８Ｎは、布地７１６が移動して、針７４０が再び前進しているとき、これにより２つの新たな挿入点が作成されることになる状態を示す。針７４０は、前進するにつれて、ステッチルーパ７４５上の縫合糸７４３によって形成されたループを通過する。図８Ｏは、引き抜かれてその開始場所に戻された後のステッチルーパ７４５を示す。ステッチルーパ７４５のこの移動により、縫合糸７４３によって形成されたループがステッチルーパ７４５から除去される。加えて、２つの新たな挿入点を通る針７４０の前進により、縫合糸７４３によって形成されたループが引っ張られて縫合糸７４３の周りのループを締め、これによってステッチ７５６を形成する。このプロセスは次いで、図８Ｊに示すステップで繰り返して追加のステッチを形成する。
【００６４】
有利には、図８Ｂ〜図８Ｏに記載および例示のプロセスは、布地にステッチを形成するために用いることができ、ステッチを形成するために用いられる針は、プロセス中に決して解放されない。
【００６５】
図７および図８Ａを参照すると、システム７００は、１つ以上の自動フィクスチャ（たとえば、自動フィクスチャ７１０および自動フィクスチャ７２０の両方など）をそれぞれ取り付けることができるフレームを含むことができる。いくつかの実施形態において、１６”×１２”×１２”のフレームを用いることができる。フレームの側部は閉じることができ、またはフレームの側部は開くことができ、このためオペレータが進行中のプロセスを見て、フィクスチャに何らかのエラーがないか確認することができる。自動フィクスチャ７２０は、機械の前部に取り付けることができ、このため、縫製領域を出て、ターゲットインプラントを取り上げ、回転して縫製領域に戻ることもできる。
【００６６】
いくつかの実施形態において、自動縫合フィクスチャは、互いに物理的に結合された１つ以上の電動アクチュエータ（たとえば、サーボアクチュエータ）を含む。１つ以上のモータコンポーネント（たとえば、サーボモータコンポーネント）を用いて自動縫合フィクスチャを構築することによって、システム７００は、比較的安価であり、および／または有利に、強化された運動範囲、ならびに複数の回転軸を提供することができる。いくつかの実施形態において、自動縫合フィクスチャの１つ以上は、共にデイジーチェーン接続され、ソフトウェアスクリプトを用いて実装される複数のアクチュエータデバイス（たとえば、サーボアクチュエータデバイス）を含み、ターゲットインプラントデバイスを位置決めする目的で協働的機能性を提供する。たとえば、アクチュエータデバイスまたはサーボアクチュエータデバイス（たとえば、サーボモータデバイス）は、水平にまたは垂直にまたはある角度で取り付けられ、または取り付けられるように構成することができ、任意の方向に関節運動することができる。
【００６７】
いくつかの実施形態において、第２の自動縫合フィクスチャまたはアセンブリは、１つ以上の電動アクチュエータを関節運動、動作、および／または配置して、ターゲットデバイス（たとえば、心臓弁、インプラント、もしくは他の縫合ターゲット）を、プロセス（たとえば、縫合プロセス）の少なくとも一部を実行する他のフィクスチャによるこれとの便利な係合もしくは相互作用のための所望の、もしくは適切な位置もしくは提示に、提示するように構成された１つ以上のコンポーネントを含む。いくつかの実施形態において、自動縫合フィクスチャは、この自動フィクスチャに関連する、またはこれによって保持されるターゲット（たとえば、縫合ターゲット）を関節運動させるという目的のために自動フィクスチャ（たとえば、自動縫合フィクスチャ）に所望の運動範囲を提供する所望の構成で互いに据え付け、取り付け、または接続された複数の電動アクチュエータを含む。いくつかの実施形態において、ターゲットホルダコンポーネントまたはアセンブリが、電動アクチュエータの１つ以上に関連し、または接続され得る。電動アクチュエータはそれぞれ、モータなどによって駆動される１つ以上の回転またはさもなければ関節部材を含むことができる。自動縫合フィクスチャおよび関連する構成要素の例を、図７および図８Ａにさらに詳細に示し、これらに関連して本明細書でより詳細に説明している。
【００６８】
いくつかの実施形態において、コントローラは、配置スクリプト、縫合プロセススクリプト、および／またはオペレータによって提供されるユーザ入力に基づいて、フィクスチャ（またはフィクスチャの電動アクチュエータ）の配置および／または動作を指示するための１つ以上の制御信号を提供する。たとえば、システム７００（または図９を参照して本明細書で説明するシステム１０００）は、ユーザ入力デバイス（たとえば、図９に示すユーザ入力デバイス１０１０など）を含むことができ、これはオペレータによって用いられてコントローラおよび／または自動縫合フィクスチャアセンブリの動作を開始または指示する入力を提供することができる。たとえば、ユーザ入力デバイス１０１０は、電子ディスプレイに関連するグラフィックユーザインターフェースに関連するユーザ入力のための機構のような、任意の適切なユーザ入力インターフェースを含むことができ、オペレータがインターフェースとの相互作用を通じて入力を提供することができる。いくつかの実施形態において、ユーザ入力デバイスは、１つ以上の物理的なスイッチ、ボタン、ペダル、センサなどを含み、ユーザが、このような機構の係合を通じて入力を提供することができる。いくつかの実施形態において、音声コマンドおよび／または音声認識ソフトウェアを用いて入力を提供することができる。信号を送信して、現在の縫合動作の１つのステップまたはステージから後続のステップまたはステージに進むことができ、たとえば、入力をコントローラに提供して、自動フィクスチャおよびターゲットを順番に各位置へ移動させるスクリプトを通じてシステムを進めることができる。これらは、針の既知の一貫した経路または固定経路がインプラントのフレームまたは金属に接触することがなく、針への損傷および他の問題を回避する位置にターゲットが常に移動するように連携することができる。
【００６９】
自動縫合フィクスチャの構成により、比較的小さく、人工ヒトインプラントデバイスのような、比較的小さなデバイスの配置および動作を支援するように設計された用途における使用に便利な自動縫合フィクスチャのための重量および／または大きさを提供することができる。システムおよび自動フィクスチャの大きさが比較的小さいことにより、人工心臓弁インプラントを縫合するためによく用いられるもののような、よりコンパクトなワークスペースにおける使用も可能になり、たとえば、大きさが小さいことにより、比較的小さな机またはテーブルにもフィットしてこの上で用いることができ、これにより建物および作業領域のより効率的な使用が可能になる。いくつかの実施形態において、自動縫合フィクスチャの個々のアクチュエータデバイス（たとえば、個々のサーボアクチュエータデバイス）は、ブラシレスポテンショスタットおよび／または磁気エンコーダデバイスを含む。いくつかの実施形態において、アクチュエータデバイスは、アナログ電圧信号を伴う圧電制御を用いて実装される。いくつかの実施形態において、自動縫合フィクスチャの１つ以上の構成要素は、たとえば、０〜２μｓの間に離間された制御信号のようなパルス幅変調制御信号を用いて制御される。いくつかの実施形態において、自動縫合糸フィクスチャの複数のモータコンポーネント（たとえば、複数のサーボモータコンポーネント）が、３本リード接続のような多重信号と１つ以上の共通のリードを共有する。いくつかの実施形態において、自動縫合フィクスチャは、４つまたは５つ以上のサーボモータデバイスを含む。本明細書に開示されるデバイスおよびフィクスチャは、遠隔制御可能または部分的に遠隔制御可能であり得る。
【００７０】
本開示による縫合システムは、１つ以上の自動縫合フィクスチャ、たとえば、縫合ターゲット（たとえば、人工ヒト心臓弁インプラント）を所望の縫合位置または他のプロセス位置に関節運動させるための自動縫合フィクスチャ７２０を含むことができる。図９は、自動縫合フィクスチャ１０７０を制御するための例示的な制御システム１０００を示すブロック図を示す。自動縫合フィクスチャ１０７０（これは上述の自動フィクスチャのいずれかまたはすべてを表すことができる）は、コントローラモジュール１０３０から制御信号を受け取るように構成されている。コントローラモジュール１０３０は、自動縫合フィクスチャ１０７０および／またはその１つ以上の構成要素の動作を少なくとも部分的に指示するための制御信号を生成するように構成されたソフトウェアおよび／またはハードウェアコンポーネントの組合せを含むことができる。
【００７１】
いくつかの実施形態において、コントローラ１０３０は、縫合スクリプト情報１０３４またはそのデータストレージにおいてコントローラによって維持されるか、もしくは他の方法でコントローラ１０３０によってアクセスされる他のスクリプトもしくはプログラム情報にアクセスするように構成された１つ以上のプロセッサおよび／またはコントローラ回路を含む。コントローラ１０３０は、縫合スクリプト情報または他のスクリプトもしくはプログラム情報を解釈し、これに少なくとも部分的に基づいて自動縫合フィクスチャ１０７０および／または別の自動フィクスチャを制御するための制御信号を生成するように設計された配置制御回路１０３２を含むことができる。
【００７２】
縫合スクリプト情報１０３４または他のスクリプトまたはプログラム情報は、コントローラ１０３０が実装するように設計された１つ以上の縫合プロセスまたは他のプロセスに関する自動縫合フィクスチャ１０７０の１つ以上の構成要素のための順次配置情報を含むことができる。たとえば、いくつかの実施形態において、配置制御回路１０３２は、縫合プロセスの各ステップについて順番に位置情報を提供するように構成されている。１つの位置ステップから別の位置ステップへの前進は、タイマー、またはユーザ入力または他の機構に基づいて、コントローラ１０３０によって指示することができる。
【００７３】
自動縫合糸フィクスチャ１０７０は複数の電動アクチュエータ１０７１を含むことができ、これらはコントローラ１０３０に通信可能に結合することができる。いくつかの実施形態において、電動アクチュエータは、デイジーチェーン構成で互いに結合され、電動アクチュエータの２つ以上は順番に共に結合または配線されている。
【００７４】
電動アクチュエータ１０７１のそれぞれは、ＤＣ、ＡＣ、またはブラシレスＤＣモータのようなモータを含むことができる。モータはサーボモータとすることができる。いくつかの実施形態において、モータ１０７２は、モータ制御回路１０７６によって指示されるように、パルス符号化変調（ＰＣＭ）を用いて制御される。たとえば、モータ制御回路１０７６は、パルス印加を一定期間印加することができ、ロータコンポーネント１０７３の角度的配置は、少なくとも部分的にパルスの長さによって決定される。モータ１０７２に加えられる力の量は、ロータ１０７３の回転距離に比例することができる。
【００７５】
いくつかの実施形態において、電動アクチュエータは、位置センサ（たとえば、デジタルエンコーダ、磁気エンコーダ、レーザなど）のような、１つ以上のサーボフィードバックコンポーネント１０７４を含むサーボアクチュエータデバイスである。サーボフィードバックコンポーネント１０７４の使用は、電動アクチュエータ１０７１が許容可能な程度の精度でコントローラ１０３０によって指示されるように配置されるという所望のレベルの信頼性を達成するために所望され得る。サーボフィードバックコンポーネント１０７４は、ロータ１０７３の位置および／または速度を示すアナログ信号をモータ制御回路１０７６に提供することができ、これにより、安定した正確なロータ位置をより速く達成するための位置の比較的正確な制御が有利に可能になり得る。自動縫合フィクスチャ１０７０を用いるインプラント縫合動作において縫合される心臓弁または他のインプラントデバイスの材料または布の寸法に少なくとも部分的に起因して、インプラントデバイスの比較的正確な配置が必要または所望であることがある。たとえば、縫合される布地または他の材料は、間に比較的小さな隙間を有するリブを形成する織りストランドを含むことができる。いくつかの実施形態において、自動縫合フィクスチャ１０７０は、０．２ｍｍ以下の精度内で縫合ターゲット人工ヒトインプラントデバイスを関節運動させるように構成することができる。サーボモータデバイスおよびコンポーネントが説明されているが、いくつかの実施形態において、１つ以上の電動アクチュエータは、ステッパモータ、または他の種類のモータサブシステムを含むことができる。
【００７６】
電動アクチュエータ１０７１はモータ制御回路１０７６をさらに含むことができ、これはコントローラ１０３０から受け取られた制御信号に従ってモータ１０７２を駆動することができる。いくつかの実施形態において、モータ１０７２は、サーボフィードバック機構１０７４および／またはモータ制御回路１０７６と組み合わせて、ロータ１０７３および／または取り付けられた支持部材を所望の期間、設定位置に保持するように有利に構成することができる。モータ１０７２は、関連するロータ１０７３の比較的滑らかな転換および／または正確な配置を提供することができる。モータ１０７２は、その大きさに対して比較的強力にすることができ、ロータ１０７３および／または関連する支持部材に存在する機械的負荷に比例する力を引き出すことができる。
【００７７】
いくつかの実施形態において、サーボフィードバックコンポーネント１０７４は、ロータ１０７３に接続された電位差計を含み、これは電動アクチュエータ１０７１の出力デバイスであり得る。ロータ１０７３は、電位差計および制御回路１０７６にリンクすることができ、電位差計は、制御回路からの信号と結合され、回転範囲、たとえば、０°〜１８０°の間、またはこれ以上にわたってロータ１０７３（および関連する支持部材）の角度を制御する。いくつかの実施形態において、ロータ１０７３の回転範囲は１つ以上の機械的ストップによって制限され、これは関連するギア機構内に組み込むことができる。電位差計（または内部回転エンコーダのような他のサーボ機構）により、制御回路１０７６がモータまたはロータの現在の角度を監視することが可能になる。ロータ１０７３が正しい角度にあるとき、モータ１０７２は、コントローラ１０３０から次の位置決め信号が受け取られるまでアイドリングすることができる。
【００７８】
自動縫合フィクスチャ１０７０は、縫合ターゲットホルダデバイスまたはアセンブリ１０８０（本明細書では縫合ターゲットホルダまたはアセンブリと呼ぶが、これは、他の手順のためにターゲットデバイスもしくはコンポーネントを保持する他の種類のターゲットホルダデバイス、グリッパ、またはアセンブリとすることができる）をさらに含むことができる。縫合ターゲットホルダ１０８０は、複数のアクチュエータの遠位延長アームアクチュエータデバイスのような、電動アクチュエータ１０７１の１つに物理的に結合することができる。縫合ターゲットホルダ１０８０は、縫合されることが所望されている人工心臓弁デバイス、または他の人工ヒトインプラントデバイスを保持する、またはこれに取り付けられるように構成することができる。縫合ターゲットホルダ１０８０は、任意の適切な、もしくは所望の形状、構成および／または寸法を有することができ、ターゲットデバイスまたはインプラントデバイスをさまざまな異なる方法で保持または固定するように構成することができる。縫合ターゲットホルダデバイスまたはアセンブリの一例の実施形態を、図１０に関連して以下に説明する。しかしながら、このような実施形態は単に一例として提供されており、他の種類の縫合ターゲットホルダを開示されたシステムに実装することができるということが理解されるべきである。
【００７９】
図１０は、例示的なホルダコンポーネント１８８０に結合された関節アーム１８７８および／または１つ以上のアクチュエータを示す。いくつかの実施形態において、ホルダコンポーネント１８８０が、インプラントデバイスまたは他のターゲットフォームもしくはデバイスを固定するための境界を提供する目的で、自動縫合フィクスチャの遠位関節アーム１８７８またはエンドアクチュエータに固定または固着されている。ホルダコンポーネントまたはアセンブリ１８８０は、本明細書に開示される任意のプロセスまたは実施形態に従ってその縫合を可能にする目的で、インプラントデバイスまたは他のターゲットデバイス、もしくはその一部を保持または固定するように設計または構成することができる。ホルダコンポーネント１８８０は、円筒フォーム１８８５を固定、またはさもなければ含むように構成することができ、これはターゲットデバイスまたはインプラント（たとえば、外科用弁インプラントデバイス１８１８用の布地で覆われた支持ステント）を引っ張るような大きさまたは寸法にすることができる。たとえば、弁インプランデバイス１８１８は、図示のように、複数の交連ポスト部分１８９２を含むことができ、これらは、ホルダコンポーネント１８８０に向かう方向を向くように配置することができ、このため、最終的にインプラントデバイス１８１８の流入端を表すことになるものの上に縫い目１８１８をステッチすることができる。円筒状フォームまたはコンポーネント１８８５は、手持ちのインプラントデバイスホルダと同様の方法で設計することができ、これはいくつかの実施形態において関節アーム１８７８および関連する構成要素の支援なしで縫合手順を実行する際に用いることができる。布１８２５は、強固なワイヤフレーム構造の周りに配置することができ、ステッチ１８１８の縫い目は、布１８２５でワイヤフレームを実質的に覆うために実行される。縫い目１８１８は、図３Ａに示して説明したように、補剛バンドの周りに布１８２５を固定することができる。
【００８０】
ホルダコンポーネント１８８０は、経カテーテル心臓弁縫合用途、または外科的心臓弁縫合動作、または他のインプラント縫合手順のような、特定の用途のために設計することができる。弁は、動物（たとえば、ヒト）用であり得る。外科用弁構成を図１０に示しているが、図１０のホルダデバイス１８８０および／または他の構成要素は、経カテーテル心臓弁もしくは他の弁または他のデバイスのための縫合プロセスおよび／または他のプロセスを支持するように設計または構成することができるということが理解されるべきである。たとえば、図１０の図は、インプラントデバイス１８１８を所望の位置に保持するように設計された円筒状フォーム１８８５を示しているが、このような円筒状フォームは、経カテーテル心臓弁に関しては必要でないことがある。たとえば、円筒状フォーム１８８５に代えて、ホルダ１８８０は代わりに経カテーテル心臓弁の強固な円筒状ワイヤフレームを固定するように構成することができ、この一実施形態を、図１に関連して上に例示および説明している。
【００８１】
ある手順または用途（たとえば、縫合補助用途）に利用されるホルダの具体的な種類は、プロセスごとに決定することができる。すなわち、特定のアダプタが、別個の動作もしくは手順のそれぞれに、または別個の種類の弁もしくは他のターゲットに適切または所望であり得る。いくつかの実施形態において、インプラントデバイスの単一の縫合手順が、複数の異なる種類のホルダデバイスの使用を伴うことができる。
【００８２】
縫合システムが特定の手順、プログラム、またはスクリプトでプログラムされた後に縫合手順を実行することができる。１つ以上のプロセッサおよび／またはメモリデバイスのような、１つ以上のコンピュータコンポーネントを利用して、手順指示スクリプトまたはプログラムを格納および実行することができ、オペレータがオンデマンドで手順スクリプトまたはプログラムを再生することができるようになる。
【００８３】
この手順は、縫合プロセススクリプトまたはプログラムをロードすることを含み、これは事前プログラムすることができる。所望のスクリプトまたはプログラムは、さまざまな方法で、たとえば、システムまたはシステムのコンピュータに入力を提供して、ストレージまたはメモリから所望のスクリプトまたはプログラムをロードすることによって、ロードすることができる。
【００８４】
この手順は、自動縫合フィクスチャ（もしくは自動フィクスチャ）の配置を誘発すること、および／または縫合動作もしくは他の動作もしくはステップを実行することを伴うことができる。
【００８５】
縫合動作または他の動作もしくはステップが実行されると、関係する縫合動作または他の動作もしくはステップが縫合手順または他の手順の最終動作またはステップを表せば、プロセスは終了することができる。しかしながら、縫合動作もしくは手順または他の動作もしくは手順の追加のステップが残っていれば、プロセスは、誘発、配置、または実行ステップを繰り返すことができ、縫合プロセスまたは手順の後続のステップを誘発することができるため、プロセス１７００は後続のステップの完了を伴うことができる。
【００８６】
実施形態に応じて、本明細書に記載のプロセスまたはアルゴリズムのいずれかのいくつかの行為、事象、または機能を異なる順序で実行することができ、追加、合併、または完全に省略してもよい。したがって、いくつかの実施形態において、すべての記載した行為または事象がプロセスの実施に必要であるわけではない。また、いくつかの実施形態において、順次ではなく同時に行為または事象を実行することができる。たとえば、マルチスレッド処理、割り込み処理、および／以上のプロセッサもしくはプロセッサコアを用いることもできる。
【００８７】
本明細書で用いる条件付き文言、たとえば、とりわけ、「can(できる)」、「could（可能性がある）」、「might（かもしれない）」、「may（でもよい）」、「e.g.（たとえば）」などは、特に具体的に記述されていない、または用いられたような文脈内で別様に理解されない限り、その通常の意味で意図され、いくつかの実施形態が、いくつかの特徴、要素および／またはステップを含む一方、他の実施形態はこれらを含まないということを伝えるように一般に意図されている。したがって、このような条件付き文言は一般に、特徴、要素および／またはステップが１つ以上の実施形態に何らかの方法で要求されること、または１つ以上の実施形態が、これらの特徴、要素および／もしくはステップがいずれかの特定の実施形態に含まれているか、または実行されるべきかを、作者の入力またはプロンプティングの有無にかかわらず、決定するためのロジックを必ず含むことを意味するように意図していない。「comprising（備える）」、「including（含む）」、「having（有する）」などの用語は同義語であり、それらの通常の意味で用いられ、オープンエンド方式で包括的に用いられ、追加の要素、特徴、行為、動作などを除外しない。また、「or（または）」という用語はその包括的意味で用いられ（その排他的な意味ではなく）、たとえば、要素のリストを接続するために用いられるとき、「or（または）」という用語は、このリストにおける要素の１つ、いくつか、またはすべてを意味する。「Ｘ、ＹおよびＺの少なくとも１つ」という句のような接続的文言は、特に具体的に記述されていない限り、用いられたような文脈で理解され、ある物品、用語、要素などがＸ、ＹまたはＺのいずれかであり得ることを一般に伝えている。したがって、このような接続的文言は一般に、いくつかの実施形態に、Ｘの少なくとも１つ、Ｙの少なくとも１つおよびＺの少なくとも１つがそれぞれ存在することが要求されるということを意味することを意図しない。
【００８８】
実施形態の上の説明において、開示を簡素化してさまざまな発明の態様の１つ以上の理解を助けるという目的で、さまざまな特徴がその単一の実施形態、図、または説明にまとめられていることがあるということが理解されるべきである。しかしながら、この開示の方法は、任意の請求項に、その請求項において明示的に規定されているより多くの特徴が要求されるという意図を反映しているとして解釈されるべきではない。また、本明細書の特定の実施形態において例示および／または説明された任意の構成要素、特徴、もしくはステップを任意の他の実施形態に適用または使用することができる。さらに、各実施形態にはいずれの構成要素、特徴、ステップ、または構成要素、特徴、もしくはステップの群も必要または必須ではない。したがって、本明細書に開示および以下の請求項の本発明の範囲は、上述の特定の実施形態によって限定されるべきではなく、以下の請求項の公正な解釈によってのみ決定されるべきであるということが意図される。
【００８９】
本明細書に記載の方法は、提示された方法の１つ以上の実施形態を示すステップを含む。本明細書の手順もしくは方法の１つ以上のステップ、もしくはその一部と、機能、論理、または効果が同等である他のステップおよび方法が考えられ得る。加えて、特定の方法のステップが起こる順番は、記載の対応するステップの順番に厳密に従ってもそうでなくてもよい。本明細書の一実施形態に関して説明した構成要素、特徴、ステップなどは、本明細書の他の場所で説明した他の実施形態に組み合わせる、または含めることができる。
【００９０】
本明細書に記載のシステム、アセンブリ、デバイス、装置、方法などの構成要素、態様、特徴などは、ハードウェア、ソフトウェア、または両方の組合せにおいて実装することができる。本明細書に記載のシステム、アセンブリ、デバイス、装置、方法などの構成要素、態様、特徴などがソフトウェアにおいて実装される場合、このソフトウェアは、１つ以上の非一時的機械可読媒体に実行可能な形式で格納することができる。さらに、このソフトウェアおよび上述の方法の関係するステップは、データおよび命令のセットとしてソフトウェアに実装することができる。機械可読媒体は、機械（たとえば、コンピュータ）によって読み取り可能な形で情報を提供（たとえば、格納および／または移送）する任意の機構を含む。たとえば、機械可読媒体は、読み取り専用メモリ（ＲＯＭ）、ランダムアクセスメモリ（ＲＡＭ）、磁気ディスク記憶媒体、光学記憶媒体、フラッシュメモリデバイス、ＤＶＤの、電気的、光学的、音響的または他の形の伝播信号（たとえば、搬送波、赤外線信号、デジタル信号）、ＥＰＲＯＭ、ＥＥＰＲＯＭ、ＦＬＡＳＨ、磁気または光学カード、または電子命令を格納するのに適した任意の種類の媒体を含む。機械可読媒体に格納されたユニット、システム、および／または方法を表す情報を、本明細書に記載のユニット、システム、および／または方法を作成するプロセスにおいて用いることができる。本発明を実装するために用いられるハードウェアは、集積回路、マイクロプロセッサ、ＦＰＧＡ、デジタル信号コントローラ、ストリームプロセッサ、および／または他の構成要素を含むことができる。
【符号の説明】
【００９１】
１１０  弁
１１２  フレーム
１１６  スカート
１１８  支持ポスト
１５６  縫合糸
１８０  下端
１８２  上端
１８４  交連
１９３  小葉
２１０  弁
２９１  封止リング
２９２  フレーム部材
２９３  小葉
２９４  交連ポスト
３２０  ワイヤフォーム
３２２  交連
３２４  尖部
３２６  補剛バンド
３４０  布地
３４２  支持ステント
３４４  尖部
３４６  交連
３５０  縫い目
３５２  流入縁
３９２  支持ステント
４０５  オペレータ
４０６  第１の手
４０７  第２の手
４０８  下向き角度
４０９  視線
４１０  インプラントデバイス
４６０  拡大システム
４６１  接眼レンズコンポーネント
４６３  屈折要素
５０６  第１の手
５０７  第２の手
５０９  縫合針
５１０  インプラントデバイス
７００  システム
７１０  第１の自動フィクスチャ
７１２  支持構造
７１６  布地
７２０  第２の自動フィクスチャ
７３０  張力デバイス
７４０  針
７４３  縫合糸
７４５  ステッチルーパ
７５６  ステッチ
１０００  制御システム
１０１０  ユーザ入力デバイス
１０３０  コントローラモジュール
１０３２  配置制御回路
１０３４  縫合スクリプト情報
１０７０  自動縫合フィクスチャ
１０７１  電動アクチュエータ
１０７２  モータ
１０７３  ロータ
１０７４  サーボフィードバックコンポーネント
１０７６  モータ制御回路
１０８０  縫合ターゲットホルダ
１８１８  インプラントデバイス
１８２５  布
１８７８  関節アーム
１８８０  ホルダコンポーネント
１８８５  円筒状フォーム
１８９２  交連ポスト部分
【図１】
2021510570.tif 000003
【図２】
2021510570.tif 000004
【図３Ａ】
2021510570.tif 000005
【図３Ｂ】
2021510570.tif 000006
【図４】
2021510570.tif 000007
【図５】
2021510570.tif 000008
【図６】
2021510570.tif 000009
【図７】
2021510570.tif 000010
【図８Ａ】
2021510570.tif 000011
【図８Ｂ】
2021510570.tif 000012
【図８Ｃ】
2021510570.tif 000013
【図８Ｄ】
2021510570.tif 000014
【図８Ｅ】
2021510570.tif 000015
【図８Ｆ】
2021510570.tif 000016
【図８Ｇ】
2021510570.tif 000017
【図８Ｈ】
2021510570.tif 000018
【図８Ｉ】
2021510570.tif 000019
【図８Ｊ】
2021510570.tif 000020
【図８Ｋ】
2021510570.tif 000021
【図８Ｌ】
2021510570.tif 000022
【図８Ｍ】
2021510570.tif 000023
【図８Ｎ】
2021510570.tif 000024
【図８Ｏ】
2021510570.tif 000025
【図９】
2021510570.tif 000026
【図１０】
2021510570.tif 000027
【国際調査報告】
2021510570.tif 000028
2021510570.tif 000029